【手続補正書】
【提出日】平成25年12月13日(2013.12.13)
【手続補正１】
【補正対象書類名】明細書
【補正対象項目名】０００３
【補正方法】変更
【補正の内容】
【０００３】
図１３は、従来の画像形成装置においてシートの搬送方向を反転させる際のタイミングチャートである。従来の画像形成装置では、上流側から下流側へ向けて順方向に搬送しているシートを停止位置で停止させる。そして、厚紙であるか薄紙であるか、サイズが大きいか小さいか等のシートの種類に拘わらず、シートやローラ等による振動が安定するまでの一定時間（以下「安定時間」という）、シートを停止させた状態に保持する。その後、シートを下流側から上流側へ向けて逆方向に搬送し、シートの後端辺を斜行補正部材に突き当てることにより、シートの斜行を補正する。こうしてシートの斜行を補正した後に穿孔装置によりシートに穿孔処理を行うことで、穿孔位置精度を確保している。
【手続補正２】
【補正対象書類名】明細書
【補正対象項目名】０００６
【補正方法】変更
【補正の内容】
【０００６】
このように負荷が多くなった状態でシートの搬送方向を反転させると、ステッピングモータの脱調が生じるおそれがある。そこで、シートの種類に依らず脱調が生じないように、シートやシート搬送ローラ軸、駆動モータ等が安定するまでの時間を安定時間として動作を停止させている。
【手続補正３】
【補正対象書類名】明細書
【補正対象項目名】００１１
【補正方法】変更
【補正の内容】
【００１１】
本発明は、多くのシート種に対応し、しかも生産性を向上させることができるシート処理装置及び画像形成システムを提供することを目的とする。
【手続補正４】
【補正対象書類名】明細書
【補正対象項目名】００１２
【補正方法】変更
【補正の内容】
【００１２】
上記目的を達成するために、本発明に係るシート処理装置は、シートを搬送する搬送手段と、前記搬送手段で搬送されるシートの特性を示すシート情報を取得する取得手段と、前記搬送手段により順方向へ搬送されているシートの搬送を停止させ、所定時間の経過後に前記シートの搬送方向を反転させて逆方向に搬送させるように前記搬送手段を制御する制御手段と、を有し、前記制御手段は、前記シート情報に基づいて、前記シートの前記順方向への搬送を停止させて前記逆方向へ搬送する際の負荷が大きくなるシートほど前記所定時間を長く設定することを特徴とする。
【手続補正５】
【補正対象書類名】明細書
【補正対象項目名】００１３
【補正方法】変更
【補正の内容】
【００１３】
本発明によれば、シート種に応じて順方向へ搬送されているシートの搬送を停止させた後、逆方向に搬送させるまでの所定時間を変更する。これにより多くのシート種に対応し、しかも生産性を向上させることができる。
【手続補正６】
【補正対象書類名】明細書
【補正対象項目名】００２７
【補正方法】変更
【補正の内容】
【００２７】
＜パンチユニット２５０の構成＞
図３、図４及び図５は、それぞれ、シート処理装置１００が有するパンチユニット２５０の構成と動作を示す図である。図３〜図５の各（Ａ）は、パンチユニット２５０の斜視図であり、各（Ｂ）はパンチユニット２５０が備えるスライダ２６０の一部を各（Ａ）中の矢印ｆ方向から見た図であり、各（Ｃ）はパンチユニット２５０を各（Ａ）中の矢印ｇ方向から見た断面図である。
【手続補正７】
【補正対象書類名】明細書
【補正対象項目名】００４４
【補正方法】変更
【補正の内容】
【００４４】
続いて、ＣＰＵ４０１は、入口センサ１０１によってシートの通過が検知されたか否かを判断する（ステップＳ１０４）。シートが未通過の場合（Ｓ１０４で“ＮＯ”）、ステップＳ１０４での待機状態となり、シートが通過すると（Ｓ１０４で“ＹＥＳ”）、処理はステップＳ１０５へ進められる。
【手続補正８】
【補正対象書類名】明細書
【補正対象項目名】００４９
【補正方法】変更
【補正の内容】
【００４９】
例えば、上記実施形態では、３種類のシートのサイズに場合分けし、３種類の安定時間を設定する形態について説明したが、これに限られず、場合分けをより少なく、逆により細かく行い、実験等から算出した線形性から安定時間を設定するようにしてもよい。上記実施形態では、シート情報としてシートサイズを用いたが、これに限られず、坪量や表面性、厚さ、すき目、材質（マテリアル種）、コート／非コートの有無、剛度、トナーののり量等から選択される１以上のシート情報を用いて安定時間を判断してもよい。例えば、坪量が大きくなるほど、厚さが厚くなるほど、材質の密度が大きいほど、トナーののり量が多いほど、安定時間を長く設定する。更に、シート情報を保持している上流機器からシート情報を受信するとしたが、シート情報に代えて上流機器で求めた安定時間を受信するように構成することもできる。
【手続補正９】
【補正対象書類名】特許請求の範囲
【補正対象項目名】全文
【補正方法】変更
【補正の内容】
【特許請求の範囲】
【請求項１】
シートを搬送する搬送手段と、
前記搬送手段で搬送されるシートの特性を示すシート情報を取得する取得手段と、
前記搬送手段により順方向へ搬送されているシートの搬送を停止させ、所定時間の経過後に前記シートの搬送方向を反転させて逆方向に搬送させるように前記搬送手段を制御する制御手段と、を有し、
前記制御手段は、前記シート情報に基づいて、前記シートの前記順方向への搬送を停止させて前記逆方向へ搬送する際の負荷が大きくなるシートほど前記所定時間を長く設定することを特徴とするシート処理装置。
【請求項２】
前記逆方向におけるシートの先端辺の斜行を補正するために前記逆方向に搬送されるシートが突き当てられる斜行補正部材を更に有することを特徴とする請求項１記載のシート処理装置。
【請求項３】
前記斜行補正部材により前記先端辺の斜行が補正されたシートに対して穿孔を行う穿孔手段を有することを特徴とする請求項２記載のシート処理装置。
【請求項４】
前記シート情報は、前記シートのサイズ、坪量、表面性、すき目、材質、コート／非コートの有無、剛度、トナーののり量から選ばれた少なくとも１つであることを特徴とする請求項１乃至３の何れか１項に記載のシート処理装置。
【請求項５】
前記シート情報は、前記シートのサイズであり、
前記制御手段は、前記シートの搬送方向長さが短くなるにしたがって前記所定時間を短く設定することを特徴とする請求項４記載のシート処理装置。
【請求項６】
前記シート情報は、前記シートの厚さであり、
前記制御手段は、前記シートの厚さが薄くなるにしたがって前記所定時間を短く設定することを特徴とする請求項４又は５記載のシート処理装置。
【請求項７】
前記制御手段は、前記シート情報と前記所定時間との関係を定めたテーブルを保持し、前記テーブルから前記シート情報に基づいて前記所定時間を設定することを特徴とする請求項１乃至６のいずれか１項に記載のシート処理装置。
【請求項８】
シートに画像を形成する画像形成装置と、
前記画像形成装置と接続され、前記画像形成装置において画像形成されたシートが搬入されるシート処理装置と、を備える画像形成システムであって、
前記画像形成装置は、前記シートの特性を示すシート情報を前記シート処理装置へ送信する送信手段を有し、
前記シート処理装置は、前記シートを搬送する搬送手段と、順方向へ搬送されている前記シートの搬送を停止させ、所定時間の経過後に前記シートの搬送方向を反転させて逆方向に搬送させるように前記搬送手段を制御する制御手段と、を有し、
前記制御手段は、前記シートの特性を示すシート情報に基づいて、前記シートの前記順方向への搬送を停止させて前記逆方向へ搬送する際の負荷が大きくなるシートほど前記所定時間を長く設定することを特徴とする画像形成システム。